(57)【要約】【課題】クライアント／サーバモデルの体系を採ることなく、異なる組織に所属する複数の者のスケジュールを調整することが可能なスケジュール調整方法、通信装置及びスケジュール調整システムを提供する。【解決手段】主催者側の通信装置１１０は、会合候補情報を含んだ照会メッセージを生成して、全ての参加予定者側の通信装置１１０に対して送信する。参加予定者側の通信装置１１０は、照会メッセージ情報内の各会合候補情報毎に、当該会合候補情報により特定される会合に出席可能であるか否かを判定し、出欠の回答を主催者側の通信装置１１０へ返す。主催者側の通信装置１１０は、１つの会合候補情報に対応する、全ての参加予定者側の通信装置１１０からの回答が出席可能である旨の回答であった場合に、その会合候補情報により特定される会合の開催を確定し、その旨を全ての参加予定者側の通信装置１１０へ通知する。【選択図】        図１
2004259032.tif 000002
【特許請求の範囲】
【請求項１】
異なる組織に所属する複数の者が利用し、自装置の利用者のスケジュールを管理する複数の通信装置により構成されるシステムにて、前記複数の者全員が出席可能な会合の時間帯を決定するスケジュール調整方法において、
前記会合の主催者が利用する通信装置は、前記会合の参加予定者が利用する通信装置に対し、前記会合の開催候補の時間帯を送信し、
前記会合の参加予定者が利用する通信装置は、前記送信される会合の開催候補の時間帯と、管理するスケジュールとに基づいて、前記会合の主催者が利用する通信装置に対し、前記会合の出欠に関する応答を行い、
前記会合の主催者が利用する通信装置は、前記会合の出欠に関する応答に基づいて、前記複数の者全員が出席可能な会合の開催時間帯を決定し、
前記会合の主催者が利用する通信装置は、前記会合の参加予定者が利用する通信装置に対し、前記決定した会合の開催時間帯を送信することを特徴とするスケジュール調整方法。
【請求項２】
自装置の利用者のスケジュールを管理する通信装置において、
自装置の利用者のスケジュールを管理するスケジュール管理手段と、
利用者が前記会合の主催者である場合に、該会合の参加予定者が利用する通信装置に対し、前記会合の開催候補の時間帯を送信する会合候補時間帯送信手段と、
利用者が前記会合の主催者である場合に、前記会合の参加予定者が利用する通信装置から送信される、前記会合の出欠に関する応答に基づいて、前記複数の者全員が出席可能な会合の開催時間帯を決定する開催時間帯決定手段と、
利用者が前記会合の主催者である場合に、該会合の参加予定者が利用する通信装置に対し、前記決定された会合の開催時間帯を送信する開催時間帯送信手段と、
を備えることを特徴とする通信装置。
【請求項３】
請求項２に記載の通信装置において、
利用者が前記会合の参加予定者である場合に、該会合の主催者が利用する通信装置から送信される会合の開催候補の時間帯と、前記スケジュール管理手段により管理されるスケジュールとに基づいて、前記会合の主催者が利用する通信装置に対し、前記会合の出欠に関する応答を行う出欠応答手段を備えることを特徴とする通信装置。
【請求項４】
請求項２又は３に記載の通信装置において、
前記開催時間帯送信手段は、前記開催時間帯決定手段により前記複数の者全員が出席可能な会合の開催時間帯を決定することができない場合に、前記会合の参加予定者が利用する通信装置に対し、前記会合の開催を取り消す旨の通知を送信することを特徴とする通信装置。
【請求項５】
請求項２乃至４の何れかに記載の通信装置において、
前記出欠応答手段は、前記スケジュール管理手段により管理されるスケジュールにおいて、前記会合の開催候補の時間帯が空いている場合には、前記会合に出席する旨の応答を行い、前記会合の開催候補の時間帯が空いていない場合には、前記会合に欠席する旨の応答を行うことを特徴とする通信装置。
【請求項６】
請求項２乃至５の何れかに記載の通信装置において、
前記会合の優先度を設定する会合優先度設定手段を備え、
前記出欠応答手段は、前記送信される会合の開催候補の時間帯に先約がある場合、前記会合の優先度と前記先約の優先度とを比較し、その比較結果に基づいて、前記会合の出欠に関する応答を行うことを特徴とする通信装置。
【請求項７】
請求項６に記載の通信装置において、
前記出欠応答手段は、前記会合の優先度が前記先約の優先度より高い場合には、利用者の指示に応じて、前記会合の出欠に関する応答を行い、前記会合の優先度が前記先約の優先度より低い場合には、前記会合に欠席する旨の応答を行うことを特徴とする通信装置。
【請求項８】
請求項６又は７に記載の通信装置において、
前記会合の主催者及び参加予定者毎の優先度を設定する主催者及び参加予定者優先度設定手段を備え、
前記会合候補時間帯送信手段は、前記会合の開催候補の時間帯とともに、該会合の主催者及び参加予定者の情報を送信し、
前記開催時間帯決定手段は、前記会合の主催者及び参加予定者の優先度に応じて、前記会合の優先度を変更することを特徴とする通信装置。
【請求項９】
異なる組織に所属する複数の者が利用し、自装置の利用者のスケジュールを管理する複数の通信装置により構成され、前記複数の者全員が出席可能な会合の時間帯を決定するスケジュール調整システムにおいて、
前記会合の主催者が利用する通信装置は、前記会合の参加予定者が利用する通信装置に対し、前記会合の開催候補の時間帯を送信する会合候補時間帯送信手段を備え、
前記会合の参加予定者が利用する通信装置は、前記送信される会合の開催候補の時間帯と、管理するスケジュールとに基づいて、前記会合の主催者が利用する通信装置に対し、前記会合の出欠に関する応答を行う出欠応答手段を備え、
前記会合の主催者が利用する通信装置は、前記会合の出欠に関する応答に基づいて、前記複数の者全員が出席可能な会合の開催時間帯を決定する開催時間帯決定手段を備え、
前記会合の主催者が利用する通信装置は、前記会合の参加予定者が利用する通信装置に対し、前記決定した会合の開催時間帯を送信する開催時間帯送信手段を備えることを特徴とするスケジュール調整システム。
【発明の詳細な説明】
【０００１】
【発明の属する技術分野】
異なる組織に所属する複数の者が利用し、自装置の利用者のスケジュールを管理する通信装置により構成されるシステムにて、前記複数の者全員が出席可能な会合の時間帯を決定するスケジュール調整方法に関する。
【０００２】
【従来の技術】
近年、インターネット等の通信ネットワークを利用した会議開催におけるスケジュール調整の手法が開発され、マイクロソフト株式会社のアウトルック（登録商標）やサイボウズ株式会社のサイボウズ（登録商標）ＡＧ等、多くの製品が普及している。
【０００３】
会議開催におけるスケジュール調整の手法は、具体的には以下の通りである。即ち、システムは、サーバと、当該サーバに通信ネットワークを介して接続され、複数の者が利用するクライアントとしての複数の通信装置により構成される。サーバには、これら複数の者のスケジュール情報が登録される。これらの会議参加予定者のスケジュール情報は、共有される。
【０００４】
会議が開催される場合、会議主催者が利用する通信装置（例えばパーソナルコンピュータ）は、通信ネットワーク経由でサーバにアクセスし、会議参加予定者のスケジュール情報を取得する。会議主催者は、このスケジュール情報を参照しつつ、会議の開催場所や日時を調整することができる（例えば、非特許文献１参照）。
【０００５】
また、サーバにおいてスケジュール調整を自動化する手法として、特開平１０−１１１８９０号公報に記載された手法がある。この手法では、会議開催者が利用する通信装置は、サーバに対してスケジュール調整依頼を送信する。スケジュール依頼を受信したサーバは、各会議参加予定者が利用する通信装置に対し、空き時間データを要求する。各会議参加予定者が利用する通信装置は、この要求に応じて、サーバに対して空き時間データを送信する。サーバは、受信した空き時間データに基づいて、全ての会議参加予定者に共通の空き時間を探すことにより、会議の開催日時の候補を自動的に決定する。この手法では、会議参加予定者のスケジュール情報は、当該会議参加予定者が利用する通信装置に保持され、サーバにおいて共有されることがないため、各会議参加予定者のプライバシーが保たれるという利点も有する。
【０００６】
【非特許文献１】
株式会社ユニゾン著「サイボウズＡＧ公式完全マニュアル」ソフトバンクパブリッシング
【０００７】
【特許文献１】
特開平１０−１１１８９０号公報（図６〜図８）
【０００８】
【発明が解決しようとする課題】
上述した従来のスケジュール調整の手法では、システムがクライアント／サーバモデルによる中央制御の体系を有している。このクライアント／サーバモデルにおけるサーバは、セキュリティ確保の観点等により、通常、会社や団体等の組織単位で管理される。
【０００９】
このため、サーバが組織単位で管理されている場合、上述した従来のスケジュール調整の手法を、異なる組織に所属する複数の者におけるスケジュール調整に採用することができない。この場合、１つのサーバに対し、異なる組織に所属する複数の者が利用する各通信装置がクライアントとなるようなシステム構成とすることにより、上述した従来のスケジュール調整の手法を採用することは可能である。しかしながら、各組織のセキュリティ確保の観点からは適切な対応ではない。
【００１０】
また、サーバの運営管理には人手がかかるとともに、クライアントである通信装置の増加につれて、サーバの負荷が増大する。更には、サーバに障害が発生した場合、スケジュール調整の業務が一切行うことができなくなるという問題もある。
【００１１】
本発明は、上記問題点を解決するものであり、その目的は、クライアント／サーバモデルの体系を採ることなく、異なる組織に所属する複数の者のスケジュールを調整することが可能なスケジュール調整方法、通信装置及びスケジュール調整システムを提供することにある。
【００１２】
【課題を解決するための手段】
上記の目的を達成するため、本発明は請求項１に記載されるように、異なる組織に所属する複数の者が利用し、自装置の利用者のスケジュールを管理する複数の通信装置により構成されるシステムにて、前記複数の者全員が出席可能な会合の時間帯を決定するスケジュール調整方法において、前記会合の主催者が利用する通信装置は、前記会合の参加予定者が利用する通信装置に対し、前記会合の開催候補の時間帯を送信し、前記会合の参加予定者が利用する通信装置は、前記送信される会合の開催候補の時間帯と、管理するスケジュールとに基づいて、前記会合の主催者が利用する通信装置に対し、前記会合の出欠に関する応答を行い、前記会合の主催者が利用する通信装置は、前記会合の出欠に関する応答に基づいて、前記複数の者全員が出席可能な会合の開催時間帯を決定し、前記会合の主催者が利用する通信装置は、前記会合の参加予定者が利用する通信装置に対し、前記決定した会合の開催時間帯を送信することを特徴とする。
【００１３】
この場合、前記会合の主催者が利用する通信装置は、前記複数の者全員が出席可能な会合の開催時間帯を決定することができない場合に、前記会合の参加予定者が利用する通信装置に対し、前記会合の開催を取り消す旨の通知を送信することが好ましい。
【００１４】
また、前記会合の参加予定者が利用する通信装置は、管理するスケジュールにおいて、前記会合の開催候補の時間帯が空いている場合には、前記会合に出席する旨の応答を行い、前記会合の開催候補の時間帯が空いていない場合には、前記会合に欠席する旨の応答を行うことが好ましい。
【００１５】
また、前記通信装置は、前記会合の優先度を設定し、前記会合の参加予定者が利用する通信装置は、前記送信される会合の開催候補の時間帯に先約がある場合、前記会合の優先度と前記先約の優先度とを比較し、その比較結果に基づいて、前記会合の出欠に関する応答を行うことが好ましい。
【００１６】
また、前記会合の参加予定者が利用する通信装置は、前記会合の優先度が前記先約の優先度より高い場合には、利用者の指示に応じて、前記会合の出欠に関する応答を行い、前記会合の優先度が前記先約の優先度より低い場合には、前記会合に欠席する旨の応答を行うことが好ましい。
【００１７】
また、前記通信装置は、前記会合の主催者及び参加予定者毎の優先度を設定し、前記会合の主催者が利用する通信装置は、前記会合の参加予定者が利用する通信装置に対し、前記会合の開催候補の時間帯とともに、該会合の主催者及び参加予定者の情報を送信し、前記会合の参加予定者が利用する通信装置は、前記主催者及び参加予定者の優先度に応じて、該会合の優先度を変更することが好ましい。
【００１８】
また、本発明は請求項２に記載されるように、自装置の利用者のスケジュールを管理する通信装置において、自装置の利用者のスケジュールを管理するスケジュール管理手段と、利用者が前記会合の主催者である場合に、該会合の参加予定者が利用する通信装置に対し、前記会合の開催候補の時間帯を送信する会合候補時間帯送信手段と、利用者が前記会合の主催者である場合に、前記会合の参加予定者が利用する通信装置から送信される、前記会合の出欠に関する応答に基づいて、前記複数の者全員が出席可能な会合の開催時間帯を決定する開催時間帯決定手段と、利用者が前記会合の主催者である場合に、該会合の参加予定者が利用する通信装置に対し、前記決定された会合の開催時間帯を送信する開催時間帯送信手段とを備えることを特徴とする。
【００１９】
また、本発明は請求項３に記載されるように、請求項２に記載の通信装置において、利用者が前記会合の参加予定者である場合に、該会合の主催者が利用する通信装置から送信される会合の開催候補の時間帯と、前記スケジュール管理手段により管理されるスケジュールとに基づいて、前記会合の主催者が利用する通信装置に対し、前記会合の出欠に関する応答を行う出欠応答手段を備えることを特徴とする。
【００２０】
また、本発明は請求項４に記載されるように、請求項２又は３に記載の通信装置において、前記開催時間帯送信手段は、前記開催時間帯決定手段により前記複数の者全員が出席可能な会合の開催時間帯を決定することができない場合に、前記会合の参加予定者が利用する通信装置に対し、前記会合の開催を取り消す旨の通知を送信することを特徴とする。
【００２１】
また、本発明は請求項５に記載されるように、請求項２乃至４の何れかに記載の通信装置において、前記出欠応答手段は、前記スケジュール管理手段により管理されるスケジュールにおいて、前記会合の開催候補の時間帯が空いている場合には、前記会合に出席する旨の応答を行い、前記会合の開催候補の時間帯が空いていない場合には、前記会合に欠席する旨の応答を行うことを特徴とする。
【００２２】
また、本発明は請求項６に記載されるように、請求項２乃至５の何れかに記載の通信装置において、前記会合の優先度を設定する会合優先度設定手段を備え、前記出欠応答手段は、前記送信される会合の開催候補の時間帯に先約がある場合、前記会合の優先度と前記先約の優先度とを比較し、その比較結果に基づいて、前記会合の出欠に関する応答を行うことを特徴とする。
【００２３】
また、本発明は請求項７に記載されるように、請求項６に記載の通信装置において、前記出欠応答手段は、前記会合の優先度が前記先約の優先度より高い場合には、利用者の指示に応じて、前記会合の出欠に関する応答を行い、前記会合の優先度が前記先約の優先度より低い場合には、前記会合に欠席する旨の応答を行うことを特徴とする。
【００２４】
また、本発明は請求項８に記載されるように、請求項６又は７に記載の通信装置において、前記会合の主催者及び参加予定者毎の優先度を設定する参加予定者優先度設定手段を備え、前記会合候補時間帯送信手段は、前記会合の開催候補の時間帯とともに、該会合の主催者及び参加予定者の情報を送信し、前記開催時間帯決定手段は、前記会合の主催者及び参加予定者の優先度に応じて、前記会合の優先度を変更することを特徴とする。
【００２５】
また、本発明は請求項９に記載されるように、異なる組織に所属する複数の者が利用し、自装置の利用者のスケジュールを管理する複数の通信装置により構成され、前記複数の者全員が出席可能な会合の時間帯を決定するスケジュール調整システムにおいて、前記会合の主催者が利用する通信装置は、前記会合の参加予定者が利用する通信装置に対し、前記会合の開催候補の時間帯を送信する会合候補時間帯送信手段を備え、前記会合の参加予定者が利用する通信装置は、前記送信される会合の開催候補の時間帯と、管理するスケジュールとに基づいて、前記会合の主催者が利用する通信装置に対し、前記会合の出欠に関する応答を行う出欠応答手段を備え、前記会合の主催者が利用する通信装置は、前記会合の出欠に関する応答に基づいて、前記複数の者全員が出席可能な会合の開催時間帯を決定する開催時間帯決定手段を備え、前記会合の主催者が利用する通信装置は、前記会合の参加予定者が利用する通信装置に対し、前記決定した会合の開催時間帯を送信する開催時間帯送信手段を備えることを特徴とする。
【００２６】
請求項１乃至９に記載の発明によれば、異なる組織に所属する複数の者が利用する複数の通信装置は、他の通信装置に対して会合の開催候補の時間帯を送信する。一方、他の通信装置からその会合の開催候補の時間帯を受信した通信装置は、当該会合の出席に関する応答を返信する。そして、会合の開催候補の時間帯の送信元である通信装置は、この応答により、複数の者全員が出席可能な会合の時間帯を決定することができる。従って、従来のように、システムがクライアント／サーバモデルによる中央制御の体系を有していないため、異なる組織に所属する複数の者のスケジュールを調整することができる。更には、システムがクライアント／サーバモデルによる中央制御の体系を有している場合の問題、具体的には、サーバの運営管理に人手がかかり、クライアントである通信装置の増加につれてサーバの負荷が増大するという問題、及び、サーバ障害が発生した場合にスケジュール調整の業務が一切行うことができなくなるという問題が生じることがない。また、本発明のスケジュール調整方法では、１つのサーバに対し、異なる組織に所属する複数の者が利用する各通信装置がクライアントとなるようなシステム構成ではないため、各組織のセキュリティの確保を図ることができる。また、各通信装置は、利用者のスケジュール情報を送受信する必要がないため、プライバシーの確保を図ることもできる。
【００２７】
また、請求項４に記載の発明によれば、会合の参加予定者は、会合が開催される場合における時間帯のみならず、会合の開催が取り消されたことをも認識することができる。
【００２８】
また、請求項６に記載の発明によれば、会合の参加予定者が利用する通信装置は、当該会合の参加予定者に先約がある場合に、直ちに欠席の応答をするのではなく、会合の優先度と先約の優先度とを比較して会合の出欠に関する応答を行うため、会合の重要度に応じた適切なスケジュール調整が可能となる。
【００２９】
また、請求項７に記載の発明によれば、会合の参加予定者が利用する通信装置は、会合の参加予定者に出欠の判断を委ねることができる。
【００３０】
また、請求項８に記載の発明によれば、主催者及び参加予定者の優先度に応じて、会合の優先度を変更することにより、例えば、主催者や参加予定者に重要な者が存在する場合には、できるだけ出席を促すことが可能となる。
【００３１】
【発明の実施の形態】
以下、本発明の実施形態を図面に基づいて説明する。
【００３２】
図１は、本発明の実施形態に係るスケジュール調整システムの構成例を示す図である。同図に示すスケジュール調整システム１００は、異なる組織に所属する複数の利用者（Ｕ１、Ｕ２、・・・・、Ｕｎ）の全員がが出席可能な会合の時間帯を決定するものである。このスケジュール調整システム１００は、各利用者が利用するパーソナルコンピュータや携帯電話機等の通信装置１１０−１〜１１０−ｎ（以下、これら通信装置１１０−１〜１１０−ｎをまとめて、適宜「通信装置１１０」と称する）と、これら通信装置１１０を接続する公衆網等の通信ネットワーク１２０とにより構成される。
【００３３】
図２は、通信装置１１０の構成例を示す図である。同図に示す通信装置１１０は、ユーザ入力部１１１と、開催時間帯決定手段としての開催設定部１１２と、会合候補時間帯送信手段及び開催時間帯送信手段としての通信部１１３と、自装置のユーザのスケジュールを管理するスケジュール管理部１１４と、会合優先度設定手段としての会合優先度設定部１１５と、主催者及び参加予定者優先度設定手段としてのユーザ優先度設定部１１６と、出欠回答手段としての開催調整部１１７と、画像表示部等のユーザ提示部１１８とを備えて構成される。
【００３４】
利用者が会合の主催者である場合、当該主催者が利用する通信装置１１０内の開催設定部１１２は、当該主催者によるユーザ入力部１１１の操作に応じて、会合の開催候補となる時間帯（以下、「会合候補時間帯」と称する）の情報を含んだ照会メッセージを生成する。
【００３５】
図３は、照会メッセージの一例を示す図である。同図は、１つの会合（ここではプロジェクトＡ）について、Ｍ個の会合候補時間帯が存在する場合の照会メッセージの例であり、Ｍ個の各会合候補時間帯に対応する情報（以下、「会合候補情報」と称する）により構成される。会合候補情報は、当該会合候補情報を一意に特定する情報である候補番号と、会合名と、会合候補時間帯としての日付、開始時刻及び終了時刻と、開催場所と、会合の主催者及び参加者予定者の名前との各情報によって構成される。ここで、会合名は、全ての通信装置１１０によって予め共有されている名称が用いられる。
【００３６】
例えば、候補番号１に対応する会合候補情報は、会合名が「プロジェクトＡ」、日付が「２００２年８月１日」、開始時刻が「１３：００」、終了時刻が「１５：００」、開催場所が「株式会社α」、主催者及び参加予定者名が「Ａ、Ｂ、Ｃ」の各情報によって構成される。
【００３７】
通信部１１３は、開催設定部１１２によって生成された照会メッセージを、会合の全ての参加予定者が利用する通信装置１１０に対して送信する。例えば、予め通信装置１１０が名前と電話番号とが対応付けられている電話帳情報（図示せず）を保有している場合、通信部１１３は、照会メッセージに含まれる参加予定者名をキーとして、電話帳情報を検索し、当該参加予定者名に対応する電話番号を取得して通信を行い、照会メッセージを送信する。あるいは、予め通信装置１１０が名前と電子メールアドレスとが対応付けられているメールアドレス情報（図示せず）を保有している場合、通信部１１３は、照会メッセージに含まれる参加予定者名をキーとして、メールアドレス情報を検索し、当該参加予定者名に対応する電子メールアドレスをあて先として、照会メッセージを含んだ電子メールを送信する。
【００３８】
利用者が会合の参加予定者である場合、当該参加予定者が利用する通信装置１１０内の通信部１１３は、上述した主催者が利用する通信装置１１０から送信される照会メッセージを受信し、開催調整部１１７へ出力する。
【００３９】
スケジュール管理部１１４は、予め利用者によるユーザ入力部１１１の操作に応じて、当該利用者のスケジュール情報を生成し、保有している。図４は、スケジュール情報の一例を示す図である。同図に示すように、１つのスケジュールに対応するスケジュール情報は、当該スケジュール情報を一意に特定するスケジュール番号と、スケジュール名と、スケジュールの時間帯としての日付、開始時刻及び終了時刻と、開催場所と、スケジュール優先度との各情報によって構成される。スケジュール優先度は、例えば５段階に設定可能であり、「１」が最も優先度が高く、「５」が最も優先度が低くなっている。
【００４０】
会合優先度設定部１１５は、予め利用者によるユーザ入力部１１１の操作に応じて、会合の優先度に関する情報（以下、「会合優先度情報」と称する）を生成し、保有している。図５は、会合優先度情報の一例を示す図である。同図に示すように、会合優先度情報は、会合名と、当該会合の優先度（会合優先度）との各情報により構成される。会合優先度は、例えばスケジュール優先度と同様、５段階に設定可能であり、「１」が最も優先度が高く、「５」が最も優先度が低くなっている。
【００４１】
ユーザ優先度設定部１１６は、予め利用者によるユーザ入力部１１１の操作に応じて、会合の主催者及び参加予定者の優先度に関する情報（以下、「ユーザ優先度情報」と称する）を生成し、保有している。図６は、ユーザ優先度情報の一例を示す図である。同図に示すように、ユーザ優先度情報は、主催者及び参加予定者の名前と、当該主催者及び参加予定者の優先度（ユーザ優先度）との各情報により構成される。ユーザ優先度は、例えば３段階に設定可能であり、「高」が最も優先度が高く、「低」が最も優先度が低くなっている。
【００４２】
開催調整部１１７は、主催者が利用する通信装置１１０から送信される照会メッセージに含まれる会合候補情報毎に、当該会合候補情報に対応する会合に出席可能であるか否かを判定する。
【００４３】
具体的には、開催調整部１１７は、開催調整部１１７は、照会メッセージに含まれる会合候補情報を１つずつ抽出する。次に、開催調整部１１７は、抽出した会合候補情報内の日付、開始時刻及び終了時刻により特定される会合候補時間帯と、スケジュール管理部１１４が保有するスケジュール情報内の日付、開始時刻及び終了時刻により特定されるスケジュール時間帯とを比較し、会合候補時間帯がスケジュール時間帯と一致あるいは重複しているか否かを判定する。
【００４４】
会合候補時間帯がスケジュール時間帯と一致あるいは重複していないということは、開催予定の会合に対する先約がないということである。この場合、開催調整部１１７は、会合優先度設定部１１５が保有する会合優先度情報の中から、抽出した会合候補情報内の会合名と同一の会合名を含んだ会合優先度情報を選択する。更に、開催調整部１１７は、選択した会合優先度情報内の会合優先度を、抽出した会合候補情報に対応する会合優先度として認識する。
【００４５】
更に、開催調整部１１７は、ユーザ優先度設定部１１６が保有するユーザ優先度情報の中から、抽出した会合候補情報内の主催者名及び参加予定者名と同一の主催者名及び参加予定者名を含んだユーザ優先度情報を選択する。更に、開催調整部１１７は、選択したユーザ優先度情報内のユーザ優先度のうち、最も高いユーザ優先度により、抽出した会合候補情報に対応する会合優先度を変更する。例えば、開催調整部１１７は、最も高いユーザ優先度が「高」の場合には会合優先度を１段階上げ、「中」の場合には会合優先度を変更せず、ユーザ優先度が「低」の場合には会合優先度を１段階下げる。
【００４６】
そして、開催調整部１１７は、抽出した会合候補情報内の会合名、日付、開始時刻、終了時刻及び開催場所と、変更後の会合優先度とにより構成される新たなスケジュール情報（以下、「会合スケジュール情報」と称する）を生成し、スケジュール管理部１１４へ出力する。スケジュール管理部１１４は、この会合スケジュール情報を、既に保有しているスケジュール情報とともに保有する。
【００４７】
更に、開催調整部１１７は、抽出した会合候補情報により特定される会合の出欠に関する回答情報（以下、「出欠回答情報」と称する）を生成する。出欠回答情報は、自装置の利用者の名前（ユーザ名）と、対応する会合候補情報内の候補番号及び会合名と、出欠に関する回答（出席可能である場合は「承諾」、出席不可である場合は「拒否」）との各情報により構成される。ここでは、上述したように、開催予定の会合に対する先約がないため、開催調整部１１７は、出席を承諾する旨の出欠回答情報を生成し、後述する照会応答メッセージに格納する。
【００４８】
例えば、照会メッセージ、スケジュール情報、会合優先度情報及びユーザ優先度情報がそれぞれ図３〜図６に示すものであり、開催調整部１１７が図３に示す候補番号１の会合候補情報を抽出した場合を考える。この場合、候補番号１の会合候補情報内の日付、開始時刻及び終了時刻により特定される会合候補時間帯は、「２００２年８月１日１０：００〜１１：００」であり、図４に示す何れのスケジュール情報内の日付、開始時刻及び終了時刻により特定されるスケジュール時間帯とも、一致あるいは重複しない。従って、開催予定の会合に対する先約はない。
【００４９】
この場合、開催調整部１１７は、図５に示す会合優先度情報の中から、抽出した候補番号１の会合候補情報内の会合名「プロジェクトＡ」を含んだ会合優先度情報を選択し、この選択した会合優先度情報内の会合優先度「３」を、開催予定の会合優先度として認識する。更に、開催調整部１１７は、図６に示すユーザ優先度情報の中から、抽出した候補番号１の会合候補情報内の主催者名及び参加予定者名「Ａ」、「Ｂ」、「Ｃ」と同一の主催者名及び参加予定者名を含んだユーザ優先度情報を選択する。更に、開催調整部１１７は、選択したユーザ優先度情報内のユーザ優先度のうち、最も高いユーザ優先度が主催者名及び参加予定者名「Ａ」に対応するユーザ優先度「高」であることを認識する。そして、開催調整部１１７は、選択した会合優先度情報内の会合優先度「３」を１段階上げて「２」とする。
【００５０】
更に、開催調整部１１７は、候補番号１の会合候補情報内の会合名「プロジェクトＡ」、日付「２００２年８月１日」、開始時刻「１０：００」、終了時刻「１１：００」及び開催場所「株式会社α」と、変更後の会合優先度「２」とにより構成される会合スケジュール情報を生成し、スケジュール管理部１１４に保有させる。また、開催調整部１１７は、自装置の利用者の名前（ユーザ名）と、対応する会合候補情報内の候補番号「１」及び会合名「プロジェクトＡ」と、出欠に関する回答「承諾」により構成される出欠回答情報を生成し、後述する照会応答メッセージに格納する。
【００５１】
一方、会合候補時間帯がスケジュール時間帯と一致あるいは重複しているということは、開催予定の会合に対する先約があるということである。この場合、開催調整部１１７は、先約がない場合と同様、会合優先度設定部１１５が保有する会合優先度情報の中から、抽出した会合候補情報内の会合名と同一の会合名を含んだ会合優先度情報を選択する。更に、開催調整部１１７は、選択した会合優先度情報内の会合優先度を、抽出した会合候補情報に対応する会合優先度として認識する。
【００５２】
更に、開催調整部１１７は、先約がない場合と同様、ユーザ優先度設定部１１６が保有するユーザ優先度情報の中から、抽出した会合候補情報内の主催者名及び参加予定者名と同一の主催者名及び参加予定者名を含んだユーザ優先度情報を選択する。更に、開催調整部１１７は、選択したユーザ優先度情報内のユーザ優先度のうち、最も高いユーザ優先度により、抽出した会合候補情報に対応する会合優先度を変更する。
【００５３】
そして、開催調整部１１７は、変更後の会合優先度と、先約となっているスケジュールに対応するスケジュール情報内のスケジュール優先度（以下、「先約優先度」と称する）とを比較する。この比較の結果、先約優先度が会合優先度よりも高い場合には、開催調整部１１７は、出欠に関する回答を「拒否」とした出欠回答情報を生成し、後述する照会応答メッセージに格納する。
【００５４】
一方、先約優先度が会合優先度以下である場合には、開催調整部１１７は、その旨をユーザ提示部１１８を介して利用者に通知し、当該利用者に会合への出欠の判断を委ねる。そして、利用者が会合への欠席を決めた場合、開催調整部１１７は、当該利用者によるユーザ入力部１１１の操作に応じて、出欠に関する回答を「拒否」とした出欠回答情報を生成し、後述する照会応答メッセージに格納する。
【００５５】
また、利用者が会合への出席を決めた場合、開催調整部１１７は、当該利用者によるユーザ入力部１１１の操作に応じて、出欠に関する回答を「承諾」とした出欠回答情報を生成し、後述する照会応答メッセージに格納する。更に、開催調整部１１７は、スケジュール管理部１１４が保有している先約に対応するスケジュール情報を削除するとともに、抽出した会合候補情報内の会合名、日付、開始時刻、終了時刻及び開催場所と、変更後の会合優先度とにより構成される会合スケジュール情報を生成し、スケジュール管理部１１４へ出力する。スケジュール管理部１１４は、この会合スケジュール情報を、既に保有しているスケジュール情報とともに保有する。
【００５６】
全ての出欠回答情報が生成、格納されることにより、照会応答メッセージが完成する。図７は、照会応答メッセージの一例を示す図である。照会応答メッセージ内の各出欠回答情報は、上述したように、自装置の利用者の名前（ユーザ名）と、対応する会合候補情報内の候補番号及び会合名と、出欠に関する回答（出欠回答）との各情報により構成される。
【００５７】
通信部１１３は、この照会応答メッセージを、照会メッセージの送信元である、主催者が利用する通信装置１１０へ送信する。
【００５８】
利用者が会合の主催者である場合、当該主催者が利用する通信装置１１０内の通信部１１３は、全ての参加予定者が利用する通信装置１１０のそれぞれから送信される照会応答メッセージを受信し、開催設定部１１２へ出力する。
【００５９】
開催設定部１１２は、各照会応答メッセージ内の出欠回答情報を解析し、全ての参加予定者が出席可能な会合候補時間帯があるか否かを判定する。具体的には、開催設定部１１２は、候補番号を１つずつ選択し、各照会応答メッセージから、当該選択した候補番号を含んだ出欠回答情報を抽出する。
【００６０】
そして、開催設定部１１２は、抽出した全ての出欠回答情報内の出欠回答が「承諾」である場合には、選択した候補番号に対応する会合候補情報を会合が成立する時間帯の情報（以下、「会合成立情報」と称する）として決定するとともに、当該会合成立情報内の日付、開始時刻及び終了時刻からなる会合候補時間帯を、会合が成立する時間帯（以下、「会合成立時間帯」と称する）として決定する。なお、複数の会合成立情報が存在する場合には、開催設定部１１２は、何れか１つの会合成立情報を選択して決定する。これにより、会合成立時間帯は１つに限定される。一方、開催設定部１１２は、抽出した何れかの出欠回答情報内の出欠回答が「拒否」である場合には、会合成立時間帯を決定しない。
【００６１】
開催設定部１１２は、会合成立時間帯を決定することができない場合、換言すれば、全ての参加予定者が出席可能な会合候補時間帯が存在しない場合には、通信部１１３を介して、全ての参加予定者が利用する通信装置１１０に対し、取り消し通知を送信する。
【００６２】
一方、開催設定部１１２は、会合成立時間帯を決定することができた場合、換言すれば、全ての参加予定者が出席可能な会合候補時間帯が存在する場合には、通信部１１３を介して、全ての参加予定者が利用する通信装置１１０に対し、その決定した会合成立時間帯に対応する会合成立情報により構成される参加依頼を送信するとともに、会合成立時間帯以外の会合候補時間帯に対応する会合スケジュール情報の削除依頼を送信する。
【００６３】
利用者が会合の参加予定者である場合、当該参加予定者が利用する通信装置１１０内の開催調整部１１７は、通信部１１３を介して、上述した取り消し通知を受信すると、スケジュール管理部１１４が保有する会合スケジュール情報を削除する。
【００６４】
一方、参加予定者が利用する通信装置１１０内の開催調整部１１７は、通信部１１３を介して、上述した参加依頼と削除依頼とを受信すると、スケジュール情報管理部１１４が保有する会合スケジュール情報のうち、参加依頼を構成する会合成立情報内の会合名、日付、開始時刻、終了時刻及び開催場所を有する会合スケジュール情報以外の会合スケジュール情報を削除する。
【００６５】
更に、開催調整部１１７は、残った会合スケジュール情報内の日付、開始時刻及び終了時刻により特定される会合成立時間帯と、当該会合スケジュール情報以外の他のスケジュール情報内の日付、開始時刻及び終了時刻により特定されるスケジュール時間帯とが一致あるいは重複するか否かを判定する。
【００６６】
会合成立時間帯がスケジュール時間帯と一致あるいは重複しているということは、会合スケジュール情報の生成後に、新たなスケジュールが設定されたということである。この場合には、開催調整部１１７は、出席依頼に対する回答を「拒否」とした出席依頼応答を生成する。更に、開催調整部１１７は、通信部１１３を介して、主催者が利用する通信装置１１０に対し、この出席依頼応答を送信する。
【００６７】
一方、会合成立時間帯がスケジュール時間帯と一致あるいは重複していない場合には、出席依頼に対する回答を「承諾」とした出席依頼応答を生成する。更に、開催調整部１１７は、通信部１１３を介して、主催者が利用する通信装置１１０に対し、この出席依頼応答を送信する。
【００６８】
利用者が会合の主催者である場合、当該主催者が利用する通信装置１１０内の通信部１１３は、全ての参加予定者が利用する通信装置１１０のそれぞれから送信される出席依頼応答を受信し、開催設定部１１２へ出力する。
【００６９】
開催設定部１１２は、各出席依頼応答を解析する。そして、開催設定部１１２は、全ての出席依頼応答が「承諾」であった場合には、会合の開催を確定し、その旨の通知（会合開催確定通知）を、全ての参加予定者が利用する通信装置１１０に対して送信する。一方、開催設定部１１２は、何れかの出席依頼応答が「拒否」であった場合には、通信部１１３を介して、全ての参加予定者が利用する通信装置１１０に対し、取り消し通知を送信する。
【００７０】
利用者が会合の参加予定者である場合、当該参加予定者が利用する通信装置１１０内の開催調整部１１７は、通信部１１３を介して、上述した会合開催確定通知を受信した場合には、会合の開催を確定する。一方、開催調整部１１７は、通信部１１３を介して、上述した取り消し通知を受信すると、スケジュール管理部１１４が保有する会合スケジュール情報を削除する。
【００７１】
次に、フローチャートを参照しつつ、スケジュール調整システム１００の動作を説明する。以下においては、主催者が利用する通信装置（以下、「主催者側通信装置」と称する）１１０と、参加予定者が利用する通信装置（以下、「参加予定者側通信装置」と称する）１１０のそれぞれの動作を説明する。
【００７２】
図８は、主催者側通信装置１１０の第１の動作を示すフローチャートである。同図に示すように、主催者側通信装置１１０は、会合の開催に際し、主催者の操作指示に応じて、会合候補情報を含んだ照会メッセージを生成する（ステップ１０１）。更に、主催者側通信装置１１０は、生成した照会メッセージを全ての参加予定者側通信装置１１０に対して送信する（ステップ１０２）。
【００７３】
図９は、参加予定者側通信装置１１０の第１の動作を示すフローチャートである。参加予定者側通信装置１１０は、主催者側通信装置１１０から送信される照会メッセージを受信すると（ステップ２０１）、当該照会メッセージ内の１つの会合候補情報を抽出する（ステップ２０２）。
【００７４】
次に、参加予定者側通信装置１１０は、保有しているスケジュール情報を参照し（ステップ２０３）、先約があるか否かを判定する（ステップ２０４）。先約がない場合には、参加予定者側通信装置１１０は、保有する会合優先度情報の中から、抽出した会合候補情報に対応する会合優先度情報を選択するとともに、保有するユーザ優先度情報の中から、抽出した会合候補情報に対応するユーザ優先度情報を選択し、選択したユーザ優先度情報内のユーザ優先度のうち、最も高いユーザ優先度により、選択した会合優先度を変更する（ステップ２０５）。
【００７５】
次に、参加予定者側通信装置１１０は、抽出した会合候補情報と変更後の会合優先度とに対応する会合スケジュール情報を生成し、保有する（ステップ２０６）。更に、参加予定者側通信装置１１０は、出席を承諾する旨の出欠回答情報を生成し、照会応答メッセージに格納する（ステップ２０７）。
【００７６】
一方、参加予定者側通信装置１１０は、ステップ２０４において先約があると判断した場合には、保有する会合優先度情報の中から、抽出した会合候補情報に対応する会合優先度情報を選択するとともに、保有するユーザ優先度情報の中から、抽出した会合候補情報に対応するユーザ優先度情報を選択し、選択したユーザ優先度情報内のユーザ優先度のうち、最も高いユーザ優先度により、選択した会合優先度を変更する（ステップ２０８）。
【００７７】
次に、参加予定者側通信装置１１０は、先約の優先度が会合優先度よりも高いか否かを判定する（ステップ２０９）。先約の優先度が会合優先度よりも高い場合には、参加予定者側通信装置１１０は、出席を承諾する旨の出欠回答情報を生成し、照会応答メッセージに格納する（ステップ２１０）。一方、先約の優先度が会合優先度以下である場合には、参加予定者側通信装置１１０は、利用者の指示に応じて出欠回答情報を生成し、照会応答メッセージに格納する（ステップ２１１）。なお、利用者が会合への出席を決めた場合には、参加予定者側通信装置１１０は、先約に対応するスケジュール情報を削除する。
【００７８】
ステップ２０７、２１０及び２１１における出欠回答情報の生成と照会応答メッセージへの格納後、参加予定者側通信装置１１０は、照会メッセージ内の全ての会合候補情報を抽出したか否かを判定する（ステップ２１２）。照会メッセージ内の全ての会合候補情報が抽出されていない場合には、参加予定者側通信装置１１０は、照会メッセージ内の１つの会合候補情報の抽出（ステップ２０１）以降の動作を繰り返す。
【００７９】
一方、照会メッセージ内の全ての会合候補情報が抽出された場合には、参加予定者側通信装置１１０は、出欠回答情報を格納した照会応答メッセージを主催者側通信装置１１０へ送信する（ステップ２１３）。
【００８０】
図１０は、主催者側通信装置１１０の第２の動作を示すフローチャートである。主催者側通信装置１１０は、図８に示す照会メッセージの送信（ステップ１０２）の後、全ての参加予定者側通信装置１１０から送信される照会応答メッセージを受信する（ステップ１０３）。
【００８１】
次に主催者側通信装置１１０は、各照会応答メッセージ内の出欠回答情報を解析し、全ての参加予定者が出席可能な時間帯があるか否かを判定する（ステップ１０４）。全ての参加予定者が出席可能な時間帯がある場合には、主催者側通信装置１１０は、その時間帯を会合成立時間帯として決定する（ステップ１０５）。なお、全ての参加予定者が出席可能な時間帯が複数存在する場合には、主催者側通信装置１１０は、何れか１つの会合成立時間帯を選択して決定する。
【００８２】
次に、主催者側通信装置１１０は、全ての参加予定者側通信装置１１０に対して、決定した会合成立時間帯に対応する参加依頼を送信するとともに、その会合成立時間帯以外の会合候補時間帯に対応する会合スケジュール情報の削除依頼を送信する（ステップ１０６）。
【００８３】
一方、主催者側通信装置１１０は、ステップ１０４において、全ての参加予定者が出席可能な時間帯がないと判断した場合には、全ての参加予定者側通信装置１１０に対し、取り消し通知を送信する（ステップ１０７）。
【００８４】
図１１は、参加予定者側通信装置１１０の第２の動作を示すフローチャートである。参加予定者側通信装置１１０は、図９に示す照会応答メッセージの送信（ステップ２１３）の後、主催者側通信装置１１０からの参加依頼及び削除依頼を受信したか否かを判定する（ステップ２１４）。参加予定者側通信装置１１０は、参加依頼及び削除依頼を受信していない場合には、更に、主催者側通信装置１１０からの取り消し通知を受信したか否かを判定する（ステップ２１５）。参加予定者側通信装置１１０は、取り消し通知を受信していない場合には、再び、参加依頼及び削除依頼を受信したか否かの判定（ステップ２１４）以降の動作を繰り返す。また、参加予定者側通信装置１１０は、取り消し通知を受信した場合には、保有する全ての会合スケジュール情報を削除する（ステップ２１６）。
【００８５】
一方、参加予定者側通信装置１１０は、ステップ２１４において、参加依頼及び削除依頼を受信したと判断した場合には、保有する会合スケジュール情報のうち、参加依頼に対応する会合スケジュール情報以外の会合スケジュール情報を削除する（ステップ２１７）。
【００８６】
更に、参加予定者側通信装置１１０は、残った会合スケジュール情報内の会合成立時間帯と一致あるいは重複する時間帯を有する他のスケジュール情報が存在するか否かを判定する（ステップ２１８）。残った会合スケジュール情報内の会合成立時間帯と一致あるいは重複する時間帯を有する他のスケジュール情報が存在する場合には、参加予定者側通信装置１１０は、出席を拒否する旨の出席依頼応答を、主催者側通信装置１１０へ送信する（ステップ２１９）。一方、残った会合スケジュール情報内の会合成立時間帯と一致あるいは重複する時間帯を有する他のスケジュール情報が存在しない場合には、参加予定者側通信装置１１０は、出席を承諾する旨の出席依頼応答を、主催者側通信装置１１０へ送信する（ステップ２２０）。
【００８７】
図１２は、主催者側通信装置１１０の第３の動作を示すフローチャートである。主催者側通信装置１１０は、図１０に示す参加依頼及び削除依頼の送信（ステップ１０６）の後、全ての参加予定者側通信装置１１０からの出席依頼応答を受信する（ステップ１０８）。次に、主催者側通信装置１１０は、各出席依頼応答を解析し、全ての出席依頼応答が出席を承諾する旨の応答であるか否かを判定する（ステップ１０９）。
【００８８】
全ての出席依頼応答が出席を承諾する旨の応答である場合には、主催者側通信装置１１０は、会合の開催を確定し（ステップ１１０）、会合開催確定通知を全ての参加予定者側通信装置１１０へ送信する（ステップ１１１）。一方、何れかの出席依頼応答が出席を拒否する旨の応答である場合には、主催者側通信装置１１０は、取り消し通知を全ての参加予定者側通信装置１１０へ送信する（ステップ１１２）。
【００８９】
図１３は、参加予定者側通信装置１１０の第３の動作を示すフローチャートである。参加予定者側通信装置１１０は、図１１に示す出席依頼応答の送信（ステップ２１９又はステップ２２０）の後、主催者側通信装置１１０からの会合開催確定通知を受信したか否かを判定する（ステップ２２１）。参加予定者側通信装置１１０は、会合開催確定通知を受信した場合には、会合の開催を確定する（ステップ２２２）。
【００９０】
一方、参加予定者側通信装置１１０は、会合開催確定通知を受信していない場合には、更に、主催者側通信装置１１０からの取り消し通知を受信したか否かを判定する（ステップ２２３）。参加予定者側通信装置１１０は、取り消し通知を受信していない場合には、再び、会合開催確定通知を受信したか否かの判定（ステップ２２１）以降の動作を繰り返す。また、参加予定者側通信装置１１０は、取り消し通知を受信した場合には、保有する会合スケジュール情報を削除する（ステップ２２４）。
【００９１】
このように、本実施形態のスケジュール調整システム１００では、主催者側通信装置１１０は、会合の開催に際し、会合候補情報を含んだ照会メッセージを生成して、全ての参加予定者側通信装置１１０に対して送信する。一方、参加予定者側通信装置１１０は、照会メッセージ情報内の各会合候補情報毎に、当該会合候補情報により特定される会合に出席可能であるか否かを判定し、出欠に関する回答を主催者側通信装置１１０へ返す。そして、主催者側通信装置１１０は、１つの会合候補情報に対応する、全ての参加予定者側通信装置１１０からの回答が出席可能である旨の回答であった場合に、その会合候補情報により特定される会合の開催を確定し、その旨を全ての参加予定者側通信装置１１０へ通知する。
【００９２】
即ち、スケジュール調整システム１００は、従来のようにクライアント／サーバモデルによる中央制御の体系を有していないため、異なる組織に所属する複数の者のスケジュールを調整することができる。更には、クライアント／サーバモデルによる中央制御の体系を有している場合の問題、具体的には、サーバの運営管理に人手がかかり、クライアントである通信装置の増加につれてサーバの負荷が増大するという問題、及び、サーバ障害が発生した場合にスケジュール調整の業務が一切行うことができなくなるという問題が生じることがない。また、スケジュール調整システム１００では、１つのサーバに対し、異なる組織に所属する複数の者が利用する各通信装置がクライアントとなるようなシステム構成ではないため、各組織のセキュリティの確保を図ることができる。また、各通信装置１１０は、利用者のスケジュール情報を送受信する必要がないため、プライバシーの確保を図ることもできる。
【００９３】
また、本実施形態のスケジュール調整システム１００では、各通信装置１１０は、会合毎の優先度を設定し、利用者が参加予定者となる場合には、参加が要求される会合に先約がある場合であっても、直ちに欠席の応答をするのではなく、会合の優先度と先約の優先度とを比較して会合の出欠に関する応答を行う。このため、会合の重要度に応じた適切なスケジュール調整が可能となる。
【００９４】
更に、本実施形態のスケジュール調整システム１００では、各通信装置１１０は、会合の主催者及び参加予定者毎の優先度（ユーザ優先度）を設定し、このユーザ優先度に応じて、会合の優先度を変更する。従って、例えば、主催者や参加予定者に重要な者が存在する場合には、できるだけ出席を促すことが可能となる。
【発明の効果】
上述の如く、本発明によれば、クライアント／サーバモデルの体系を採ることなく、異なる組織に所属する複数の者のスケジュールを調整することが可能となる。
【図面の簡単な説明】
【図１】スケジュール調整システムの構成例を示す図である。
【図２】通信装置の構成例を示す図である。
【図３】照会メッセージの一例を示す図である。
【図４】スケジュール情報の一例を示す図である。
【図５】会合優先度情報の一例を示す図である。
【図６】ユーザ優先度情報の一例を示す図である。
【図７】照会応答メッセージの一例を示す図である。
【図８】主催者側通信装置の第１の動作を示すフローチャートである。
【図９】参加予定者側通信装置の第１の動作を示すフローチャートである。
【図１０】主催者側通信装置の第２の動作を示すフローチャートである。
【図１１】参加予定者側通信装置の第２の動作を示すフローチャートである。
【図１２】主催者側通信装置の第３の動作を示すフローチャートである。
【図１３】参加予定者側通信装置の第３の動作を示すフローチャートである。
【符号の説明】
１００  スケジュール調整システム
１１０  通信装置
１１１  ユーザ入力部
１１２  開催設定部
１１３  通信部
１１４  スケジュール管理部
１１５  会合優先度設定部
１１６  ユーザ優先度設定部
１１７  開催調整部
１１８  ユーザ提示部
【図１】
2004259032.tif 000003
【図２】
2004259032.tif 000004
【図３】
2004259032.tif 000005
【図４】
2004259032.tif 000006
【図５】
2004259032.tif 000007
【図６】
2004259032.tif 000008
【図７】
2004259032.tif 000009
【図８】
2004259032.tif 000010
【図９】
2004259032.tif 000011
【図１０】
2004259032.tif 000012
【図１１】
2004259032.tif 000013
【図１２】
2004259032.tif 000014
【図１３】
2004259032.tif 000015